(57)【要約】【課題】  包装容器開封後に繰り返し再粘着して、包装容器開封後のニオイ・味うつりを防ぐカバーを提供する。【解決手段】  包装容器開封後に繰り返し再粘着して、包装容器開封後のニオイ・味うつりを防ぐカバーを提供できる。包装容器の開口可能な上部を覆うカバーであって、一端側に設けられ、包装容器における上部の一方側の側面と接着する接着部と、両端側または一端側に設けられ、再粘着可能に、包装容器における上部の側面と粘着する粘着部とを備えるカバー。【選択図】  図１
2015063310.tif 000002
【特許請求の範囲】
【請求項１】
包装用容器の開口可能な上部を覆うカバーであって、両端側または一端側に設けられ、再粘着可能に、飲料容器における側面の上部に粘着する粘着部を備えるカバー。
【請求項２】
透明素材で形成されているとともに、消費者に伝える情報を表示する表示部を、更に備え、表示部は、一端側又は他端側に設けられている請求項1に記載のカバー。
【請求項３】
冷蔵状態と常温状態とで色が異なる示温部を備えた請求項1又は２に記載のカバー。
【発明の詳細な説明】
【技術分野】
【０００１】
この発明は、カバーに関し、より詳しくは、飲食物を収容する包装容器の開口可能な上部を覆うカバーに関する。
【背景技術】
【０００２】
従来、包装用容器のうち、包装容器特に牛乳パック・ジュース等の食品を収容する容器は、包装容器本体によって形成されている。
【０００３】
例えば、特許文献１には、屋根型包装容器の密封部分を衛生上から保護し、遮光性を付与することができる包装容器が提案されている。
【先行技術文献】
【特許文献】
【０００４】
【特許文献１】特開２００５−１７０４２４号公報
【発明の概要】
【発明が解決しようとする課題】
【０００５】
しかしながら、特許文献１に記載された屋根型包装容器のカバーは屋根型包装容器開封前の密封部分の衛生上の保護、遮光を目的としており、包装容器開封後に繰り返し再粘着できるわけではなかった。本発明では、包装容器開封後に繰り返し再粘着して、包装容器開封後のニオイ・味うつりを防ぐカバーを提供する。
【課題を解決するための手段】
【０００６】
（１）包装用容器の開口可能な上部を覆うカバーであって、両端側または一端側に設けられ、再粘着可能に、飲料容器における側面の上部に粘着する粘着部を備えるカバー。
【０００７】
（１）の構成によれば、包装容器の開封後に、包装用容器の開口可能な上部を覆うカバーを設けることで、ニオイ・味うつりを防ぐことができる。頂点が切妻屋根型に加工された屋根型包装容器ゲーブルトップの他にブリックタイプ、テトラタイプなど他の形状の包装容器にも適用できる。牛乳・ジュース以外にもトウモロコシなど他の食品の包装容器または内容物が食品以外の包装容器にも適用できる。または、紙以外の素材で包装用容器を成型された場合にも適用できる。また、例えば、一端側に接着部、一端側に粘着部を設けることによって輸送時または陳列後にカバーをはがれにくくすることもできる。
【０００８】
（２）透明素材で形成されているとともに、消費者に伝える情報を表示する表示部を、更に備え、表示部は、一端側又は他端側に設けられている（１）に記載のカバー。
【０００９】
（２）の構成によれば、表示部において、広告・キャンペーン・懸賞などの消費者に伝える情報を表示する表示部を備え、応募シール部を設けるとはがしてそのまま応募することもできる。このカバーは透明素材で構成されているため食品包装容器の開口上部に印字されている賞味期限はカバーを透過して目視することができる。
【００１０】
（３）冷蔵状態と常温状態とで色が異なる示温部を備えた（１）又は（２）に記載のカバー。
【００１１】
（３）の構成によれば、冷蔵状態と常温状態とで色が異なる示温部を設ける。これにより店頭または購入後商品を長時間常温に置いたために品質が劣化することを予防し、温度・品質管理に役立てることができる。
【発明の効果】
【００１２】
本発明では、包装容器開封後に繰り返し粘着して、包装容器開封後のニオイ・味うつりを防ぐカバーを提供できる。
【図面の簡単な説明】
【００１３】
【図１】本発明の実施形態に係る食品包装容器のカバーの使用状態を示す図である。
【図２】本発明の実施形態に係る食品包装容器のカバーの使用状態を示す拡大図である。
【図３】本発明の実施形態に係る食品包装容器のカバーの使用状態を示す側面図である。
【発明を実施するための形態】
【００１４】
本発明の実施形態に係る食品包装容器のカバーの構成について説明する。
図1は、本発明の実施形態に係る食品包装容器のカバーの使用状態を示す図である。
図2は、本発明の実施形態に係る食品包装容器のカバーの使用状態を示す拡大図である。
図3は、発明の実施形態に係る食品包装容器のカバーの使用状態を示す側面図である。
図１から図3に示すように、食品包装容器のカバー1は、飲食物を収容する包装容器１００の開口可能な上部１０１を覆う。食品包装容器のカバー１は、本体10と、粘着部１1と、折り返しつまみ部１1Aと、点字部１１Bと、接着部１2と、表示部１５と、示温部２０と、を備える。
【００１５】
食品包装容器のカバー１は、包装容器本体１００の開封後に、包装用容器本体１００の開口可能な上部１０１を覆うことで、ニオイ・味うつりを防ぐことができる。頂点が切妻屋根型に加工された屋根型包装容器ゲーブルトップの他にブリックタイプ、テトラタイプなど他の形状の包装容器にも適用できる。また、紙以外の素材例えばバイオマス素材などで構成された包装用容器にも適用できる。
【００１６】
食品包装容器のカバー１は、牛乳・ジュース以外にもトウモロコシなど他の食品の包装容器、または内容物が食品以外例えばヘアケア商品の詰め替え包装容器、食器・衣料用洗剤の詰め替え包装容器にも適用できる。内容物が食品以外の場合には内容物自体に香料などが含まれているため、内容物のニオイを閉じ込め包装容器本体１００の外部に逃がさないという役割を果たす。
【００１７】
本体１０は、長方形の透明素材で構成され、表示部１５は本体中央部に設けられる。本体１０は透明素材で構成されているため食品包装用容器本体１００の開口可能な上部１０１に印字されている賞味期限は本体１０を透過して目視することができる。食品包装容器開口部の側面１０５との接着面となる食品包装容器のカバー１の裏面全体には粘着剤を塗布してもよい。これにより食品包装用容器本体１００の開口可能な上部１０１の密封性をさらに高めることができる。
【００１８】
粘着部１1は、両端側または一端側に設けられ、食品包装容器開口部の側面１０５と再粘着可能である。一端側に粘着部１１、一端側に接着部１２を設けることによって輸送時または陳列後にカバーをはがれにくくすることもできる。
【００１９】
折り返しつまみ部１1Aは、粘着部１1の端部に設けられている。本体10がフィルムなど薄い透明素材で構成されているため、折り返しつまみ部１1Aを設けることで、食品包装容器本体１００を開封後、食品包装容器のカバー１と食品包装容器開口部の側面１０５とを再粘着することを容易にする。
【００２０】
点字部１１Bは、折り返しつまみ部１１Aの上方に設けられている。食品包装容器のカバー１に凸部の点字部１１Bを設けることで、視覚障害者に対して、食品包装用容器本体１００の開口可能な上部１０１を覆う食品包装容器のカバー１を再粘着するための開閉部の位置を示すことができる。
【００２１】
接着部１2は、食品包装容器のカバー１の一端側に設けられ、食品包装容器開口部の側面１０５に接着される。包装容器本体１００の廃棄時には剥離することができる。
【００２２】
表示部１５は、広告・キャンペーン・懸賞などの消費者に伝える情報を表示し、応募シール部を設けるとはがしてそのまま応募することもできる。
【００２３】
示温部２０は、１２度以上で消色、１２〜1度で徐々に青色に発色、１度以下で完全発色する示温印刷により、例えば、包装容器本体１００の表面温度を示す。なお、示温部２０は、示温印刷に限らず、温度の変化により態様が変化すれば任意の手段を用いることができる。これにより店頭または購入後商品を長時間常温に置いたために品質が劣化することを予防し、温度・品質管理に役立てることができる。
【００２４】
本実施形態の食品包装容器のカバー１によれば、同じ製造ラインで別の商品をつくる可能性もあるため包装容器本体１００の形状は変更せず食品包装容器のカバー１を貼り付けるのみとし、設備投資にかかるコストを抑える。当該商品は世界中で販売されており世界的な牛乳・ジュース等ドリンク市場の活性化も期待できる。
【符号の説明】
【００２５】
１    食品包装容器のカバー
１０  本体
１１  粘着部の側縁
１１A  折り返しつまみ部
１１B  点字部
１２  粘着部または接着部の側縁
１５  表示部
２０  示温部
１００  食品包装容器本体
１０１  食品包装容器本体の開口可能な上部
１０５  食品包装容器本体開口部の側面
【図１】
2015063310.tif 000003
【図２】
2015063310.tif 000004
【図３】
2015063310.tif 000005